(57)【要約】【課題】面ファスナーの周縁部の「めくれ上がり」による着用時の不快感を軽減し、使用感を向上させる衣類の開閉部における着脱機構の提供。【解決手段】面ファスナーを用いた衣類開閉部の着脱機構であって、前記面ファスナーを前記開閉部の生地面に対し縫い目が該面ファスナーの周縁部に沿ったジグザグ状になるように縫製されていることを特徴とする衣類開閉部着脱機構。【選択図】  図２
0003163729.tif 000002
【実用新案登録請求の範囲】
【請求項１】
面ファスナーを用いた衣類開閉部の着脱機構であって、前記面ファスナーを前記開閉部の生地面に対し縫い目が該面ファスナーの周縁部に沿ったジグザグ状になるように縫製されていることを特徴とする衣類開閉部着脱機構。
【請求項２】
面ファスナーを前記開閉部の生地面に対し縫い付ける縫製が千鳥縫いであることを特徴とする請求項１に記載の衣類開閉部着脱機構。
【請求項３】
前記面ファスナーのループ部がパイル生地のトリコット編地面ファスナーであり、該フック部が樹脂製射出成型面ファスナーであることを特徴とする請求項１または請求項２のいずれかに記載の衣類開閉部着脱機構。
【請求項４】
前記面ファスナーにおいて、そのループ部がフック部に対して面積が１２０〜２６０％の相似形に形成されていることを特徴とする請求項１ないし請求項３のいずれか１項に記載の衣類開閉部着脱機構。
【請求項５】
前記面ファスナーのループ部が開閉部の内向き面側に取り付けられ、フック部が開閉部の外向き面側に設けられていることを特徴とする請求項１ないし請求項４のいずれか１項に記載の衣類開閉部着脱機構。
【考案の詳細な説明】
【技術分野】
【０００１】
本考案は、面ファスナーを用いた衣類の開閉部における着脱機構の構造に関するものである。
【背景技術】
【０００２】
従来、シャツや肌着類、とりわけ介護用肌着においては、簡便に脱ぎ着できるように前開きとし、前開きとなった開閉部分の着脱手段として、着脱の操作が容易な面ファスナーが採用されているものがある（特許文献１、２）。
【０００３】
かかる一般的な面ファスナーは、図３に示すように、ミシンアタッチメントの構造上、面ファスナー５の縫い目６が周縁部５１に沿った線状（直線状もしくは曲線状）になるように衣類に縫い付けられている。しかしながら、かかる縫製方法によると、縫い目６部分から外の周縁部が自由端となって、頻繁な洗濯や着用によって生地面からめくれ上がることがあり、そのめくれ上がった部分が肌に当たって、着用時に不快感を生じさせる原因となっていた。
【先行技術文献】
【特許文献】
【０００４】
【特許文献１】特開２００２−１７３８１０号
【特許文献２】実開平６−６９２０１号
【考案の概要】
【考案が解決しようとする課題】
【０００５】
従って、本考案は、面ファスナーの縁部の「めくれ上がり」による着用時の不快感を軽減するとともに、使用感を向上させる衣類の開閉部における着脱機構を提供することをその課題とするものである。
【課題を解決するための手段】
【０００６】
本考案は、上記課題を解決するものであり、面ファスナーを用いた衣類開閉部の着脱機構であって、前記面ファスナーを前記開閉部の生地面に対し縫い目が該面ファスナーの周縁部に沿ったジグザグ状になるように縫製されていることを特徴とする衣類開閉部着脱機構である。  
【考案の効果】
【０００７】
本考案に係る衣類の開閉部における着脱機構は、面ファスナーの周縁部をジグザグ状に縫製することにより、洗濯や着用を繰り返しても、周縁部がめくれ上がることを防ぐことができ、使用感を向上させることができる。さらに、本考案に係る衣類の開閉部における着脱機構においては、面ファスナーの雄材（以下、「フック部」という）と雌材（以下、「ループ部」という）の大きさ、取り付け位置、素材、形状をそれぞれ特定することにより、さらに使用感を向上させることができる。
【図面の簡単な説明】
【０００８】
【図１】本考案に係る着脱機構を備えた衣類の斜視図。
【図２】図２ａは、本考案に係る着脱機構の面ファスナーフック部の縫製方法を表    した図。図２ｂは、本考案に係る着脱機構の面ファスナーループ部の縫製方法を表    した図。
【図３】一般的な織製面ファスナーの縫製方法を表した図。
【考案を実施するための形態】
【０００９】
以下、本考案の衣類の開閉部における着脱機構の一実施態様を、図面に基づいて具体的に説明する。なお、本考案はこれら実施態様に何ら制約されるものではない。
【００１０】
図１は本考案に係る着脱機構を備えた衣類の斜視図である。図中、１は衣類、２は面ファスナーフック部、３は面ファスナーループ部、１１は前立て、１２は前立て、１３は開閉部をそれぞれ示す。
【００１１】
図１に示すように、本考案に係る着脱機構は、衣類１の開閉部１３における着脱を可能とする面ファスナーフック部２および面ファスナーループ部３からなる。面ファスナーフック部２および面ファスナーループ部３は、それぞれ、衣類１の前立て１１と前立て１２に縫いつけられており、開閉部１３を閉めたときに互いに一致して係合する位置関係に設けられている。
【００１２】
図２（ａ）および図２（ｂ）は、それぞれ本考案に係る着脱機構の面ファスナーフック部２および面ファスナーループ部３の衣類の生地面に対する縫製方法を模式的に表した図である。面ファスナーフック部２および面ファスナーループ部３は、前立て１１、１２の生地面に対し、面ファスナー周縁部２１、３１に沿ってそれぞれ縫い目４がジグザグ状になるように千鳥縫いで縫い付けられている。このように、縫い目４を周縁部２１、３１に沿ってジグザグ状にすることで面ファスナーの周縁部まで余すところなく生地面に縫い付けられるため、従来の縫製のように面ファスナーの周縁部が自由端となってめくれ上がることがない。このようなジグザグ状の縫製として、千鳥縫いのほか、かがり縫いなどの縫製方法を適宜採用することができる。
【００１３】
また、本実施態様では、開閉部１３の外向き面側の前立て１１に面ファスナーフック部２が取り付けられており、また、開閉部１３の内向き面側の前立て１２に面ファスナーループ部３が取り付けられている。このように、より肌への当たりが柔らかい面ファスナーループ部３を内向きに取り付けることで、面ファスナー部分が直に肌に触れたときの不快感を軽減することができる。
【００１４】
さらに、本実施態様のものは、面ファスナーフック部２および面ファスナーループ部３はともに平面視で円形であるが、面ファスナーフック部２に対し、面ファスナーループ部３がその面積においておよそ１３０％になるように形成されており、よって、両者は相似の関係になる。このように、面ファスナーループ部３を面ファスナーフック部２に対して大きめに形成することにより、開閉部１３を閉じるときに面ファスナーループ部３と面ファスナーフック部２の位置関係がずれてしまったときにも、確実に互いを係合できるため好ましい。両ファスナーの大きさの比は特に制限はないが、面ファスナーフック部２に対し、面ファスナーループ部３がその面積において１２０〜２６０％にすることが好ましい。また、面ファスナーフック部２および面ファスナーループ部３の形状は特に制限されないが、本実施態様のように円形のものを使用した場合、面ファスナーの角が当たることによる肌への不快感を防ぐことができるため好ましい。
【００１５】
本考案に係る着脱機構の面ファスナーは、従来からある一般的な織製面ファスナーを利用することができるが、一般的な織製面ファスナーは材質的に硬く、肌に直接触れたときに不快感を生じさせる。したがって、より肌への当たりが柔らかい面ファスナーを使用することが好ましい。一例として、面ファスナーフック部２の素材としてフック部の先端が丸く形成された樹脂製射出成型面ファスナーを、また、面ファスナーループ部３の素材としてパイル生地のトリコット編地面ファスナーを利用することができる。
【産業上の利用可能性】
【００１６】
本考案に係る着脱機構は、開閉部、とくに前開きの開閉部を有する衣類に好適に利用することができる。利用可能な衣類として特にその種類は限定されないが、肌に直接触れるシャツや肌着類などの通常の衣類のほか、片手でも簡易に着脱できることから、とりわけベビー用肌着、介護用肌着においてその効果が顕著である。また、人間用の衣類にとどまらず、ペットなどの動物用の衣類にも応用が可能である。
【符号の説明】
【００１７】
１……衣類
２……面ファスナーフック部
３……面ファスナーループ部
４……縫い目
５……織製面ファスナー
６……縫い目  
１１……前立て
１２……前立て
１３……開閉部
２１……周縁部
３１……周縁部
５１……周縁部
【図１】
0003163729.tif 000003
【図２】
0003163729.tif 000004
【図３】
0003163729.tif 000005